(57)【要約】【課題】収穫量の低下を防ぎつつ作業効率を向上させたコンバインを提供する。【解決手段】走行機体に昇降可能に支持された前処理部を備えてなる汎用型コンバインは、前処理部を走行機体に対して昇降させる前処理部昇降アクチュエータ１０７を備える。また、汎用型コンバインは、前処理部が所定の高さに上昇するように前処理部昇降アクチュエータ１０７を制御するオートリフト制御を実行可能な制御部１００と、制御部１００にオートリフト制御を実行させるマルチステアリングレバーと、を備える。制御部１００は、前処理部により刈り取る作物に応じて所定の高さを設定可能である。【選択図】図７
2018023302.tif 000002
【特許請求の範囲】
【請求項１】
エンジンを搭載した走行機体と、前記走行機体に昇降可能に支持された刈取搬送部と、を備えてなるコンバインにおいて、
前記刈取搬送部を前記走行機体に対して昇降させる昇降部と、
前記刈取搬送部が所定の高さに上昇するように前記昇降部を制御する上昇制御を実行可能な制御部と、
前記制御部に前記上昇制御を実行させる上昇操作部と、を備え、
前記制御部は、前記刈取搬送部により刈り取る作物に応じて前記所定の高さを設定可能である、
ことを特徴とするコンバイン。
【請求項２】
前記刈取搬送部により刈り取る作物を設定可能な作物設定手段を備え、
前記制御部は、前記作物設定手段により設定された作物に応じて前記所定の高さを設定可能である、
ことを特徴とする請求項１に記載のコンバイン。
【請求項３】
前記刈取搬送部により刈り取る作物に応じて調整可能な作物別調整要素を備え、
前記制御部は、前記作物別調整要素の調整状態に応じて前記所定の高さを設定可能である、
ことを特徴とする請求項１に記載のコンバイン。
【請求項４】
前記作物別調整要素は、前記刈取搬送部により刈り取った作物を脱穀する扱胴と、前記刈取搬送部の、前記エンジンの動力により回転して作物を掻き込むリールと、の少なくともいずれか一方であり、
前記制御部は、前記扱胴及び前記リールの少なくともいずれか一方の回転速度に応じて前記所定の高さを設定可能である、
ことを特徴とする請求項３に記載のコンバイン。
【請求項５】
前記刈取搬送部により刈り取る作物は、稲及び大豆を少なくとも含む、
ことを特徴とする請求項１乃至４のいずれか１項に記載のコンバイン。
【請求項６】
前記制御部は、
稲に対応づけられた第１設定値と、大豆に対応づけられた第２設定値と、を記憶しており、
前記第１設定値及び第２設定値をそれぞれ変更可能である、
ことを特徴とする請求項５に記載のコンバイン。
【請求項７】
前記エンジンから前記刈取搬送部又は前記刈取搬送部により刈り取られた作物を脱穀する脱穀部に動力を伝達する動力伝達路を断接可能なクラッチを備え、
前記制御部は、前記クラッチにより前記動力伝達路が切断されている場合に、前記所定の高さを予め設定した値に保持する、
ことを特徴とする請求項１乃至６のいずれか１項に記載のコンバイン。
【発明の詳細な説明】
【技術分野】
【０００１】
本発明は、走行機体に昇降可能に支持された刈取搬送部を備えるコンバインに関する。
【背景技術】
【０００２】
一般に、運転操作部に設けられたレバーを操作することにより刈取搬送部である刈取部を任意の位置まで昇降させるコンバインが知られている。また、近年、作業者がレバーに設けられたトリガースイッチを押した状態でレバーを操作することにより、刈取部を予め設定した高さまで上昇させるオートリフト制御を実行可能な汎用型コンバインが提案されている（特許文献１参照）。
【０００３】
特許文献１に記載されている汎用型コンバインでは、作業者がトリガースイッチを押した状態でレバーを前後中立位置から後方に揺動させることにより、刈取部が予め設定された高さまで上昇する。また、刈取部は、上昇中にトリガースイッチの押し状態が解除される又はレバーが前後中立位置に戻ったとしても、予め設定した高さに達するまで上昇が停止せずに自動上昇する。作業者は、汎用型コンバインを旋回させる際に、刈取部を自動上昇させることによって、刈取部が作物に当たることにより穀粒が落ちて収穫量が低下することを防ぐことができる。また、オートリフト制御を実行することにより、作業者が刈取部を上昇させる際のレバー操作を簡略化し、作業者の負担を軽減することができる。
【先行技術文献】
【特許文献】
【０００４】
【特許文献１】特許第５７３４１５４号公報
【発明の概要】
【発明が解決しようとする課題】
【０００５】
上記特許文献１に記載の汎用型コンバインは、刈り取る作物の高さが高い場合にも刈取部が当たらないために、オートリフト制御により上昇させる刈取部の高さを高くする必要がある。しかしながら、オートリフト制御により上昇する高さが一定であるために、この汎用型コンバイン１は、高さが低い作物の刈取作業時にオートリフト制御により刈取部を上昇させた際に、作物に対して過剰に高く刈取部を上昇させてしまう虞がある。また、オートリフト制御により上昇させる刈取部の高さが高くなると、刈取部をオートリフト制御により上昇した高さから上昇する前の高さに戻す際に、刈取部が上昇する前の高さに戻るまでの時間が長くなる。したがって、この汎用型コンバインは、オートリフト制御において、作物の高さに対して過剰に刈取部を上昇させてしましまい、刈取部をオートリフト制御により上昇させてから刈取作業を再開するまでの時間が長くなり、作業効率が低下する虞があった。
【０００６】
そこで、本発明は、収穫量の低下を防ぎつつ作業効率を向上させて、上述した課題を解決するコンバインを提供することを目的とする。
【課題を解決するための手段】
【０００７】
本発明は、エンジン（Ｅ）を搭載した走行機体（３）と、前記走行機体（３）に昇降可能に支持された刈取搬送部（５）と、を備えてなるコンバイン（１）において、
前記刈取搬送部（５）を前記走行機体（３）に対して昇降させる昇降部（１０７）と、
前記刈取搬送部（５）が所定の高さに上昇するように前記昇降部（１０７）を制御する上昇制御を実行可能な制御部（１００）と、
前記制御部（１００）に前記上昇制御を実行させる上昇操作部（５１）と、を備え、
前記制御部（１００）は、前記刈取搬送部（５）により刈り取る作物に応じて前記所定の高さを設定可能である、
ことを特徴とする。
【０００８】
例えば図５及び図７を参照して、前記刈取搬送部（５）により刈り取る作物を設定可能な作物設定手段（６２）を備え、
前記制御部（１００）は、前記作物設定手段（６２）により設定された作物に応じて前記所定の高さを設定可能である。
【０００９】
例えば図３を参照して、前記刈取搬送部（５）により刈り取る作物に応じて調整可能な作物別調整要素（２５，２７）を備え、
前記制御部（１００）は、前記作物別調整要素（２５，２７）の調整状態に応じて前記所定の高さを設定可能である。
【００１０】
例えば図３を参照して、前記作物別調整要素（２５，２７）は、前記刈取搬送部（５）により刈り取った作物を脱穀する扱胴（２７）と、前記刈取搬送部（５）の、前記エンジン（Ｅ）の動力により回転して作物を掻き込むリール（２５）と、の少なくともいずれか一方であり、
前記制御部（１００）は、前記扱胴（２７）及び前記リール（２５）の少なくともいずれか一方の回転速度に応じて前記所定の高さを設定可能である。
【００１１】
例えば図１を参照して、前記刈取搬送部（５）により刈り取る作物は、稲及び大豆を少なくとも含む。
【００１２】
例えば図７を参照して、前記制御部（１００）は、
稲に対応づけられた第１設定値と、大豆に対応づけられた第２設定値と、を記憶しており、
前記第１設定値及び第２設定値をそれぞれ変更可能である。
【００１３】
例えば図４及び図７を参照して、前記エンジン（Ｅ）から前記刈取搬送部（５）又は前記刈取搬送部（５）により刈り取られた作物を脱穀する脱穀部（７）に動力を伝達する動力伝達路を断接可能なクラッチ（４３）を備え、
前記制御部（１００）は、前記クラッチ（４３）により前記動力伝達路が切断されている場合に、前記所定の高さを予め設定した値に保持する。
【００１４】
なお、上述カッコ内の符号は、図面と対照するためのものであるが、これにより特許請求の範囲に記載の構成に何等影響を及ぼすものではない。
【発明の効果】
【００１５】
請求項１に係る本発明によると、本発明のコンバインは、旋回等の移動の際に、刈取搬送部を所定の高さに移動させて、刈取搬送部が作物に接触して穀粒が穀稈から落ちてしまうこと防ぎ、収穫量の低下を防ぐことができる。また、本発明のコンバインは、刈取搬送部により刈り取る作物に応じて所定の高さを変更可能であるので、各作物の高さに対して適切な高さに所定の高さを設定することができ、作物の高さに対して所定の高さが高すぎることを防ぐことができる。これにより、本発明のコンバインは、収穫量の低下を防ぎつつ、刈取搬送部を所定の高さから刈取作業可能な高さに移動させるまでの時間を短縮して、作業効率を向上させることができる。
【００１６】
請求項２に係る本発明によると、作業者は、作物設定手段を操作することにより、容易に所定の高さを変更することができ、利便性を向上させると共に作業効率を向上させることができる。
【００１７】
請求項３に係る本発明によると、コンバインは、作業者が刈取搬送部により刈り取る作物に応じて作物別調整要素を調整した際に、所定の高さも共に設定するので、作業者によって設定又は調整する項目を削減することができ、利便性を向上させると共に作業効率を向上させることができる。また、作業者は、所定の高さの変更忘れを防ぐことができる。
【００１８】
請求項４に係る本発明によると、コンバインは、作業者が刈取搬送部により刈り取る作物に応じて扱胴及びリールの少なくともいずれか一方の回転速度を調整した際に、所定の高さも共に設定するので、作業者によって設定又は調整する項目を削減することができ、利便性を向上させると共に作業効率を向上させることができる。また、作業者は、所定の高さの変更忘れを防ぐことができる。
【００１９】
請求項５に係る本発明によると、コンバインは、刈り取る作物が稲及び大豆のどちらであるかに応じて所定の高さを設定することができ、所定の高さを稲及び大豆のそれぞれに適した高さに設定することができる。
【００２０】
請求項６に係る本発明によると、作業者は、稲に対応づけられた第１設定値と、大豆に対応づけられた第２設定値と、をそれぞれ変更可能である。作物の高さは、作物に応じて異なるが、同じ作物においても品種に応じて異なる。本発明のコンバインは、第１設定値及び第２設定値を稲及び大豆の品種に応じて変更可能であり、作物の高さに対して第１設定値及び第２設定値を適宜設定することができる。
【００２１】
請求項７に係る本発明によると、コンバインは、エンジンから刈取搬送部又は脱穀部への動力伝達路が切断されている場合に、作物に拘らず所定の高さを予め設定した値に保持するので、刈取作業と路上を走行する走行作業とに応じて所定の高さを変更することができる。これにより、本発明のコンバインは、上昇制御により移動する刈取搬送部の高さを、現在実行している作業状態に適した高さに設定することができる。
【図面の簡単な説明】
【００２２】
【図１】本発明の実施の形態に係る汎用型コンバインを示す側面図。
【図２】汎用型コンバインを示す平面図。
【図３】汎用型コンバインの脱穀選別部を示す側面図。
【図４】汎用型コンバインにおけるエンジンから前処理部までの動力伝達構造を示す動力伝達図。
【図５】汎用型コンバインの運転操作部を示す平面図。
【図６】運転操作部に設けられた操作パネルを示す平面図。
【図７】本発明の実施の形態に係る制御部を示すブロック図。
【図８】オートリフト制御において実行する各処理を示すフローチャート。
【発明を実施するための形態】
【００２３】
以下、図面に沿って、本発明の実施の形態について説明する。コンバインの一種である汎用型コンバイン１は、図１及び図２に示すように、左右一対のクローラ走行装置２に支持された走行機体３と、走行機体３の前方に昇降可能に支持された前処理部（刈取搬送部）５と、を備える。
【００２４】
走行機体３の左部には、脱穀選別部６が配置されており、脱穀選別部６の上部には、前処理部５が刈り取った穀稈を脱穀する脱穀部７が設けられ、脱穀選別部６の下部には、脱穀部７が脱穀した処理物を穀粒とわら屑等の夾雑物とに選別する選別部９が設けられている。脱穀選別部６の後方には、選別部９により選別された夾雑物を機外に排出する排藁処理部１０が配置される。走行機体３の右部の前方には、エンジンＥが搭載されたエンジンルームＳが配置され、エンジンルームＳの上方には、作業者が搭乗する運転操作部１１が配置され、エンジンルームＳ及び運転操作部１１の後方には、選別部９によって選別された穀粒を貯留するグレンタンク１２が配置されている。また、走行機体３の上部には、グレンタンク１２に貯留された穀粒を機外に排出する排出オーガ１３が配置される。
【００２５】
前処理部５は、刈り取られた穀稈を脱穀部７に搬送する搬送フィーダ１５を有する。搬送フィーダ１５は、走行機体３に上下方向に揺動可能に支持されており、脱穀部７の前部から斜め前下方に向かって延びる。搬送フィーダ１５の前端には、前方に延びる左右の刈取フレーム１６が連結されており、左右の刈取フレーム１６の間には、刈り取られた穀稈を搬送フィーダ１５に搬送するプラットホームオーガ１７が支持される。プラットホームオーガ１７の前方には、圃場の穀稈を刈り取る刈刃４５（図４参照）が配置され、その刈刃４５の前方である刈取フレーム１６の前端には、刈取作物と未刈取作物とに分けるデバイダ１９が取り付けられている。
【００２６】
刈取フレーム１６の上部左右には、リンク構造の支持部材２０が支持されている。支持部材２０は、一端が刈取フレーム１６の後側上部に回動可能に支持されて上方に延びる左右のリンク２１Ａと、左右のリンク２１Ａの他端に回動軸２１Ｂを介して回動可能に連結され、前方に向かって延びる左右のリンク２１Ｃと、有する。回動軸２１Ｂは、左右方向に延びて、左右のリンク２１Ａ及びリンク２１Ｃに連結されており、搬送フィーダ１５との間に油圧シリンダであるリールスライドアクチュエータ２２が連結されている。また、左右のリンク２１Ｃの前後中央と刈取フレーム１６との間には、油圧シリンダであるリール昇降アクチュエータ２３が連結されている。リンク２１Ｃの前端、すなわち、支持部材２０の前端は、リールスライドアクチュエータ２２が伸縮することにより前後方向に移動し、リール昇降アクチュエータ２３が伸縮することにより上下方向に移動する。
【００２７】
支持部材２０の前端には、掻込リール２５が回転可能に支持されており、前後方向においてデバイダ１９と刈刃４５との間かつデバイダ１９及び刈刃４５の上方に位置する。デバイダ１９によって分けられた刈取作物の穀稈は、掻込リール２５によって後方に掻き込まれ、刈刃４５によって刈り取られる。刈り取られた穀稈は、プラットホームオーガ１７及び搬送フィーダ１５によって脱穀部７に搬送される。
【００２８】
脱穀部７は、図３に示すように、搬送フィーダ１５から搬送されてきた穀稈が投入される扱室２６を有し、扱室２６の内部には、前後方向に延びる円筒形状の扱胴２７が回転可能に支持される。前後方向に延びる扱胴２７の外周面には、前後方向に延びるラセン形状の扱歯２９が形成され、扱胴２７の前端部には、搬送フィーダ１５から搬送されてきた穀稈を扱室２６の奥に掻き込むためにラセン形状のラセン羽根３０が形成されている。扱胴２７の下方には、扱胴２７の外周面に沿って、正面視にて円弧形状に形成された受網３１が配置される。扱胴２７が回転することによって、扱歯２９は、刈り取られた穀稈を受網３１に擦り付けて、穀稈から穀粒を削ぎ落として脱穀する。脱穀された穀粒及び夾雑物が混在する処理物は、受網３１によって篩にかけられる。この篩により受網３１に残された夾雑物は、扱歯２９の外周に並んで形成された突起状の突起扱歯の間を通過して上記排藁処理部１０に送られる。
【００２９】
選別部９は、受網３１から落下してきた処理物を受け取り、穀粒と夾雑物とに選別する揺動選別装置３２を有する。揺動選別装置３２の下方には、前方から順に、揺動選別装置３２による選別に用いる選別風を発生させる唐箕ファン３９と、揺動選別装置３２によって選別された穀粒をグレンタンク１２に搬送する１番ラセン４０と、選別しきれなかった処理物を脱穀部７に戻す２番ラセン４１と、が配置されている。１番ラセン４０及び２番ラセン４１は、左右方向に延びるラセン形状に形成されており、回転することによって、穀粒及び処理物を搬送する。
【００３０】
揺動選別装置３２は、前部に配置される揺動選別盤３３と、揺動選別盤３３の後方に配置されるチャフシーブ３５と、チャフシーブ３５の後方に配置されるストローラック３６と、チャフシーブ３５の下方に配置されるグレンシーブ３７と、を有する。揺動選別盤３３は、堆積して盛り上がった処理物の高さを均一化すると共に、処理物の比重選別を行う。比重選別によって、比重が重い穀粒は下に、比重が軽いわら屑等の夾雑物は上に分離される。
【００３１】
比重選別された処理物は、チャフシーブ３５によって漏下選別される。チャフシーブ３５は、左右に延びる板形状の複数のフィンを有し、これらフィンは、前後方向に並んで配置される。処理物中の夾雑物は、チャフシーブ３５の前下方に配置された唐箕ファン３９の選別風によって後方に吹き飛ばされる。一方、処理物中の穀粒は、フィン同士の隙間を通ってグレンシーブ３７に落下する。また、これらフィンは、前後方向に回動可能に支持されており、回動することによって開度が変更され、チャフシーブ３５による選別の精度及び速度を変化させる。
【００３２】
チャフシーブ３５から落下してグレンシーブ３７に堆積したものは、さらに細かく漏下選別される。グレンシーブ３７によって選別された穀粒は、１番ラセン４０に落下し、グレンタンク１２に搬送される。グレンシーブ３７の選別において残ったものは、２番ラセン４１に落下し、脱穀部７に戻される。
【００３３】
ストローラック３６は、チャフシーブ３５の漏下選別において残った夾雑物に混入した穀粒を２番ラセン４１に落下させる。ストローラック３６の後方には、上記排藁処理部１０が配置されており、ストローラック３６に残った夾雑物は、排藁処理部１０に送られ、機外に排出される。
【００３４】
上記扱胴２７、揺動選別装置３２及び唐箕ファン３９等の脱穀選別部６の装置は、図４に示すように、エンジンＥからの動力により駆動するように構成されており、エンジンＥに連結する伝達軸Ａ１と脱穀選別部６の装置に連結する伝達軸Ａ２との間の動力伝達経路に介在する脱穀クラッチ４２の断接により、駆動及び停止される。また、エンジンＥと扱胴２７との間には、扱胴２７の回転速度を変速する扱胴変速装置４８が設けられている。扱胴変速装置４８は、扱胴変速装置４８に接続される扱胴変速レバー４８Ａが操作されることにより、稲や麦の脱穀に適した高速と、稲や麦よりも損傷し易い莢物である大豆の脱穀に適した低速と、の二段階に切換可能に構成されている。本実施形態においては、大豆、なたね、ごま及びはと麦を莢物と称する。
【００３５】
また、エンジンＥは、クローラ走行装置２との間にＨＳＴの主変速機４６及び多段式変速機である副変速機４７が設けられており、主変速機４６及び副変速機４７によりクローラ走行装置２への動力が変速される。
【００３６】
プラットホームオーガ１７、刈刃４５及び掻込リール２５等の前処理部５の装置も、エンジンＥからの動力により駆動しており、伝達軸Ａ２と前処理部５の装置に連結する伝達軸Ａ３との間の動力伝達経路に介在する刈取クラッチ（クラッチ）４３及び脱穀クラッチ４２の断接により、駆動及び停止される。なお、以下では、刈取クラッチ４３及び脱穀クラッチ４２を作業クラッチとも記述する。
【００３７】
また、動力伝達経路において、伝達軸Ａ３に対して動力伝達方向の下流には、ベルト式無段変速装置であるリール変速装置Ａ６が設けられている。リール変速装置Ａ６は、動力伝達方向の上流に設けられたプラットホームオーガ１７、刈刃４５及び刈取クラッチ４３に他の動力伝達装置を介して連結する伝達軸Ａ４と、下流に設けられ掻込リール２５に連結する伝達軸Ａ５との間に配置されており、伝達軸Ａ４から伝達された動力を変速して伝達軸Ａ５に伝達する。すなわち、掻込リール２５の回転速度は、リール変速装置Ａ６が操作されることにより、プラットホームオーガ１７及び刈刃４５の動作速度を維持したまま変更可能に構成されている。
【００３８】
運転操作部１１には、図５に示すように、作業者が座る運転席４９が設けられている。その運転席４９の前方には、汎用型コンバイン１の走行速度及び燃料の残量等を示す表示計５０が配置されている。表示計５０の右方には、汎用型コンバイン１のステアリング操作を行うマルチステアリングレバー（上昇操作部）５１が配置されている。マルチステアリングレバー５１は、前後左右方向の中立位置である基準位置に対して前後方向及び左右方向に傾斜可能に構成されており、左右方向に傾斜することにより汎用型コンバイン１の操向操作が可能であり、前後方向に傾斜することにより前処理部５の昇降操作が可能である。
【００３９】
運転席４９の左側前方には、主変速機４６を操作して汎用型コンバイン１の進行方向の切り換え及び細かい速度調整を行う主変速レバー５３が設けられており、主変速レバー５３の左方には、副変速機４７を操作する副変速レバー５６が設けられている。また、副変速レバー５６の後方には、エンジンＥの回転速度を調整するエンジンコントロールレバー５７が配置されており、主変速レバー５３の後方には、汎用型コンバイン１の各装置を操作するダイヤル等が設けられた操作パネル５９が配置されている。運転操作部１１には、上記以外にも汎用型コンバイン１の操作を行う操作部等が設けられている。
【００４０】
操作パネル５９には、図６に示すように、複数のダイヤル及びスイッチが設けられている。操作パネル５９には、前方から順に、リール回転ダイヤル６０、パワークラッチスイッチ６１、作物切換ダイヤル（作物設定手段）６２及び選別ダイヤル６３が設けられている。リール回転ダイヤル６０は、ダイヤルスイッチ兼押圧スイッチであり、刈取作業時の掻込リール２５の回転速度を調整するスイッチである。パワークラッチスイッチ６１は、シーソー型スイッチであり、左右両端に押圧可能な押圧部６１Ａ及び押圧部６１Ｂを有し、押圧部６１Ａ及び押圧部６１Ｂが押圧されることにより、作業クラッチの断接を操作するスイッチである。
【００４１】
選別ダイヤル６３は、ダイヤルスイッチであり、チャフシーブ３５のフィンの開度を調整して、チャフシーブ３５による選別の精度及び速度を調整するスイッチである。作物切換ダイヤル６２は、ダイヤルスイッチであり、汎用型コンバイン１により刈り取る作物を選択可能に構成されている。作物切換ダイヤル６２は、刈り取る作物として、稲、麦、大豆、なたね及びそばを設定可能に構成されており、設定された作物の情報を図７に示す制御部１００に送信する。
【００４２】
制御部１００には、図７に示すように、入力側に、上記リール回転ダイヤル６０、パワークラッチスイッチ６１、作物切換ダイヤル６２及び選別ダイヤル６３と共に、マルチステアリングレバー５１の前後方向及び左右方向の傾斜を検出するマルチステアリングレバーポテンショメータ５１Ａと、マルチステアリングレバー５１に設けられたスイッチであるトリガースイッチ５１Ｂと、が接続されている。また、制御部１００の入力側には、扱胴２７の回転速度を検出する扱胴回転センサ１０２と、掻込リール２５の回転速度を検出するリール回転センサ１０３と、走行機体３に対する前処理部５の高さを検出する前処理部高さセンサ１０５と、リール昇降アクチュエータ２３によりプラットホームオーガ１７及び刈刃４５に対して昇降する掻込リール２５の高さを検出するリール高さセンサ１０６と、が接続されている。
【００４３】
制御部１００の出力側には、走行機体３に対して前処理部５を昇降させる前処理部昇降アクチュエータ（昇降部）１０７と、リール昇降アクチュエータ２３と、リール変速装置Ａ６と、刈取クラッチ４３及び脱穀クラッチ４２と、が接続されている。制御部１００は、パワークラッチスイッチ６１からの信号に基づいて作業クラッチの断接を行う。制御部１００は、刈取クラッチ４３及び脱穀クラッチ４２が切断されている際に押圧部６１Ａの押下操作を検出すると、脱穀クラッチ４２を接続して脱穀選別部６の装置を駆動させ、さらに押圧部６１Ａの押下操作を検出すると、刈取クラッチ４３を接続して前処理部５の装置も駆動させる。また、制御部１００は、刈取クラッチ４３及び脱穀クラッチ４２が接続されている際に押圧部６１Ｂの押下操作を検出すると、刈取クラッチ４３を切断して前処理部５の装置を停止させ、さらに押圧部６１Ｂの押下操作を検出すると、脱穀クラッチ４２を切断して脱穀選別部６の装置も停止させる。
【００４４】
また、制御部１００は、リール回転ダイヤル６０からの信号に基づいてリール変速装置Ａ６を制御することにより掻込リール２５の回転速度を調整する。制御部１００は、刈取作業時に、走行速度に応じて掻込リール２５の回転速度を自動的に変更するリール回転自動制御を実行可能に構成されており、リール回転ダイヤル６０の押下操作により実行及び停止を切り換える。制御部１００は、リール回転自動制御において、走行速度に追従して掻込リール２５の回転速度を変更する。また、制御部１００は、リール回転ダイヤル６０が回転操作されることにより、掻込リール２５の回転速度の変更が可能である。
【００４５】
制御部１００は、掻込リール２５の回転速度を上昇させる回転速度上昇方向（図６における時計回り方向）と、その反対の回転速度低下方向（図６における反時計回り方向）に回転可能であり、リール回転自動制御の実行時に、リール回転ダイヤル６０が回転速度上昇方向に回転されると、走行速度の上昇に応じて上昇する掻込リール２５の回転速度の勾配を大きくして、掻込リール２５の回転速度を上昇させ易くする。制御部１００は、リール回転自動制御の実行時に、リール回転ダイヤル６０が回転速度低下方向に回転されると、走行速度の上昇に応じて上昇する掻込リール２５の回転速度の勾配を小さくして、掻込リール２５の回転速度を上昇させにくくする。
【００４６】
また、制御部１００は、リール回転自動制御を実行していないリール回転手動調整状態で、リール回転ダイヤル６０が回転上昇方向に回転すると、掻込リール２５の回転速度を上昇させ、リール回転ダイヤル６０が回転低下方向に回転すると、掻込リール２５の回転速度を低下させる。そして、リール回転手動調整状態において、制御部１００は、走行速度に拘らず、リール回転ダイヤル６０により調整された掻込リール２５の回転速度を維持して刈取作業を行う。稲や麦と比較して損傷し易い大豆の刈取作業が行われる場合には、作業者がリール回転ダイヤル６０により掻込リール２５の回転速度を低下させることにより、大豆の損傷の防止を図ることができる。このように、掻込リール２５及び扱胴２７は、前処理部５により刈り取る作物に応じて調整可能な作物別調整要素として構成されている。
【００４７】
制御部１００は、マルチステアリングレバーポテンショメータ５１Ａからの信号に基づいて前処理部昇降アクチュエータ１０７を制御するように構成されている。制御部１００は、マルチステアリングレバーポテンショメータ５１Ａによりマルチステアリングレバー５１の前方傾斜が検出されている間、前処理部５を下降させる。また、制御部１００は、マルチステアリングレバーポテンショメータ５１Ａによりマルチステアリングレバー５１の後方傾斜が検出されている間、前処理部５を上昇させる。このように、制御部１００は、マルチステアリングレバー５１が前方又は後方に傾斜している間前処理部５を昇降させることが可能であり、マルチステアリングレバー５１が基準位置に戻った場合又は前処理部５が上昇可能な前処理部上限高さ又は下降可能な前処理部下限高さに達した場合に、前処理部５の昇降動作を停止する。
【００４８】
また、制御部１００は、予め設定された操作が行われた場合に前処理部５を予め設定された高さに移動するオートリフト制御（上昇制御）を実行可能に構成されている。制御部１００は、オートリフト制御において、トリガースイッチ５２が押下された状態でマルチステアリングレバー５１が後方に傾斜された場合に、前処理部５を所定の高さまで上昇させる。前処理部５の上昇中において、マルチステアリングレバー５１が基準位置に戻る又はトリガースイッチ５１Ｂの押下状態が解除されたとしても、制御部１００は、前処理部５の上昇を停止させず、前処理部５を所定の高さまで上昇させる。本実施形態においては、制御部１００が前処理部５を所定の高さまで上昇させる処理をクイックアップとし、前処理部５がクイックアップにより所定の高さまで上昇された状態をクイックアップ状態とする。また、本実施形態においては、トリガースイッチ５１Ｂが押下された状態でマルチステアリングレバー５１が後方に傾斜される操作をクイックアップ操作とする。
【００４９】
また、制御部１００は、クイックアップにおいて前処理部５を上昇させると共に、プラットホームオーガ１７及び刈刃４５に対して掻込リール２５を下降するようにリール昇降アクチュエータ２３を制御する。制御部１００は、クイックアップにおいて掻込リール２５を下降可能なリール下限高さまで下降させる。
【００５０】
制御部１００は、クイックアップにより前処理部５が上昇する所定の高さを、作物切換ダイヤル６２により選択された作物に応じて設定するように構成されている。制御部１００は、各装置の制御に用いるパラメータ等が記憶されている記憶装置１０１に記憶されている複数の設定値から、所定の値として設定する値を作物切換ダイヤル６２により選択された作物に応じて設定する。記憶装置１０１には、設置値として、稲、麦及びそばに適した第１設定値Ｈ１と、大豆に適した第２設定値Ｈ２と、なたねに適した第３設定値Ｈ３と、が記憶されている。
【００５１】
大豆は、稲麦と比較して、前処理部５に接触した際に、接触した力により莢が割れて脱粒するヘッドロスが生じ易いので、第２設定値Ｈ２は、第１設定値Ｈ１よりも大きく設定されている。また、なたねは、作物長が稲麦や大豆よりも高いので、第３設定値Ｈ３は、第１設定値Ｈ１及び第２設定値Ｈ２よりも大きく設定されている。また、第１設定値Ｈ１〜第３設定値Ｈ３は、変更可能に構成されており、品種に応じて設定可能である。
【００５２】
制御部１００は、クイックアップを行った後に、トリガースイッチ５１Ｂが押下された状態でマルチステアリングレバー５１が前方に傾斜された場合に、クイックアップにより上昇する前の前処理部５の高さまで前処理部５を下降させる。本実施形態においては、制御部１００が前処理部５をクイックアップにより上昇する前の前処理部５の高さまで下降させる処理をクイックセットとし、トリガースイッチ５１Ｂが押下された状態でマルチステアリングレバー５１が前方に傾斜される操作をクイックセット操作とする。また、制御部１００は、クイックセットにおいて前処理部５を下降させると共に、クイックアップにより下降する前の掻込リール２５の高さまで掻込リール２５を上昇させる。
【００５３】
さらに制御部１００は、パワークラッチスイッチ６１から受信した信号から作業クラッチが切断されていると判定した場合に、作物切換ダイヤル６２により選択された作物に拘らず、所定の高さを第１設定値Ｈ１に設定するように構成されている。
【００５４】
本実施の形態は、以上のような構成からなる。ここで、オートリフト制御において実行する各処理について、図８を参照して説明する。
【００５５】
まず、制御部１００は、前処理部５がクイックアップ状態であるか否かを判定する（ステップＳ１）。この処理において、制御部１００は、記憶装置１０１に設けられているフラグであるクイックアップフラグを参照して前処理部５がクイックアップ状態であるか否かを判定する。クイックアップフラグは、制御部１００がクイックアップの処理を実行した場合にＯＮ状態に切り換え、制御部１００がクイックセットの処理を実行した場合にＯＦＦ状態に切り換えるフラグである。すなわち、制御部１００は、クイックアップフラグがＯＮ状態である場合に、前処理部５がクイックアップ状態であると判定し、クイックアップフラグがＯＦＦ状態である場合に、前処理部５がクイックアップ状態ではないと判定する。
【００５６】
ステップＳ１の処理において、前処理部５がクイックアップ状態ではないと判定した場合に（ＮＯ）、制御部１００は、マルチステアリングレバー５１によりクイックアップ操作が行われたか否かを判定する（ステップＳ２）。この処理において、クイックアップ操作が行われていないと判定した場合に（ＮＯ）、制御部１００は、再度ステップＳ１の処理から実行し、クイックアップ操作が行われたと判定するまで待機する。
【００５７】
ステップＳ２の処理において、クイックアップ操作が行われたと判定した場合に（ＹＥＳ）、制御部１００は、クイックアップの処理を実行すると判定し、まずクイックアップの処理を実行する前に現在の前処理部５の高さ及び掻込リール２５の高さを記憶装置１０１に設けられた前処理部記憶値及びリール記憶値に記憶させる（ステップＳ３）。
【００５８】
ステップＳ３の処理を実行した後に、制御部１００は、現在刈取作業を実行しているか否かを判定する（ステップＳ４）。この処理において、制御部１００は、パワークラッチスイッチ６１から受信した信号から脱穀クラッチ４２及び刈取クラッチ４３の作業クラッチが接続されているか否かを判定して、その結果から刈取作業を実行しているか否かを判定する。制御部１００は、作業クラッチが接続されていると判定した場合に刈取作業を実行していると判定し、脱穀クラッチ４２及び刈取クラッチ４３の少なくともいずれか一方が切断されている、すなわち作業クラッチが接続されていないと判定した場合に刈取作業を実行せずに走行作業を実行していると判定する。
【００５９】
ステップＳ４の処理において、現在刈取作業を実行していると判定した場合に（ＹＥＳ）、制御部１００は、作物切換ダイヤル６２により稲、麦又はそばが選択されているか否かを判定する（ステップＳ５）。この処理において、作物切換ダイヤル６２により稲、麦又はそばが選択されていると判定した場合に（ＹＥＳ）、制御部１００は、クイックアップの処理として、ステップＳ６及びステップＳ７の処理を実行する。
【００６０】
制御部１００は、クイックアップの処理として、まず、掻込リール２５をリール下限高さまで下降させる（ステップＳ６）。ステップＳ６の処理を実行した後に、制御部１００は、前処理部５を第１設定値Ｈ１まで上昇させる（ステップＳ７）。そして、制御部１００は、クイックアップにより前処理部５を第１設定値Ｈ１まで上昇させたことに基づき、クイックアップフラグをＯＮ状態に切り換える。これにより、制御部１００は、以降のステップＳ１の処理において、前処理部５がクイックアップ状態であると判定する。
【００６１】
ステップＳ５の処理において、作物切換ダイヤル６２により大豆又はなたねが選択されていると判定した場合に（ＮＯ）、制御部１００は、作物切換ダイヤル６２により大豆が選択されているか否かを判定する（ステップＳ８）。この処理において、作物切換ダイヤル６２により大豆が選択されていると判定した場合に（ＹＥＳ）、制御部１００は、クイックアップの処理として、ステップＳ９及びステップＳ１０の処理を実行する。
【００６２】
制御部１００は、クイックアップの処理として、まず、掻込リール２５をリール下限高さまで下降させる（ステップＳ９）。ステップＳ９の処理を実行した後に、制御部１００は、前処理部５を第２設定値Ｈ２まで上昇させる（ステップＳ１０）。そして、制御部１００は、クイックアップにより前処理部５を第２設定値Ｈ２まで上昇させたことに基づき、クイックアップフラグをＯＮ状態に切り換える。
【００６３】
ステップＳ８の処理において、作物切換ダイヤル６２によりなたねが選択されていると判定した場合に（ＮＯ）、制御部１００は、クイックアップの処理として、ステップＳ１１及びステップＳ１２の処理を実行する。
【００６４】
制御部１００は、クイックアップの処理として、まず、掻込リール２５をリール下限高さまで下降させる（ステップＳ１１）。ステップＳ１１の処理を実行した後に、制御部１００は、前処理部５を第３設定値Ｈ３まで上昇させる（ステップＳ１２）。そして、制御部１００は、クイックアップにより前処理部５を第３設定値Ｈ３まで上昇させたことに基づき、クイックアップフラグをＯＮ状態に切り換える。
【００６５】
ステップＳ４の処理において、現在走行作業を実行していると判定した場合に（ＮＯ）、制御部１００は、クイックアップの処理として、ステップＳ１３及びステップＳ１４の処理を実行する。制御部１００は、クイックアップの処理として、まず、掻込リール２５をリール下限高さまで下降させる（ステップＳ１３）。ステップＳ１３の処理を実行した後に、制御部１００は、前処理部５を第１設定値Ｈ１まで上昇させる（ステップＳ１４）。そして、制御部１００は、クイックアップにより前処理部５を第１設定値Ｈ１まで上昇させたことに基づき、クイックアップフラグをＯＮ状態に切り換える。ステップＳ７，Ｓ１０，Ｓ１２，Ｓ１４の処理を実行した後に、制御部１００は、ステップＳ１の処理に戻る。
【００６６】
ステップＳ１の処理において、前処理部５がクイックアップ状態であると判定した場合に（ＹＥＳ）、制御部１００は、マルチステアリングレバー５１によりクイックセット操作が行われたか否かを判定する（ステップＳ１５）。この処理において、クイックセット操作が行われていないと判定した場合に（ＮＯ）、制御部１００は、再度ステップＳ１の処理から実行し、クイックセット操作が行われたと判定するまで待機する。
【００６７】
ステップＳ１５の処理において、クイックセット操作が行われたと判定した場合に（ＹＥＳ）、制御部１００は、クイックセットの処理として、ステップＳ１６及びステップＳ１７の処理を実行する。制御部１００は、クイックセットの処理として、まず、掻込リール２５をリール記憶値に記憶されている高さまで上昇させる（Ｓ１６）。ステップＳ１６の処理を実行した後に、制御部１００は、前処理部５を前処理部記憶値に記憶されている高さまで下降させる。制御部１００は、クイックセットにより前処理部５及び掻込リール２５を、クイックアップを実行する前の高さに戻したことに基づき、クイックアップフラグをＯＦＦ状態に切り換える。これにより、制御部１００は、以降のステップＳ１の処理において、前処理部５がクイックアップ状態ではないと判定する。
【００６８】
このように、本実施形態の汎用型コンバイン１は、旋回等の移動の際に、前処理部５を所定の高さに移動させて、前処理部５が作物に接触して穀粒が穀稈から落ちてしまうこと防ぎ、収穫量の低下を防ぐことができる。また、汎用型コンバイン１は、前処理部５により刈り取る作物に応じて所定の高さを変更可能であるので、各作物の高さに対して適切な高さに所定の高さを設定することができ、作物の高さに対して所定の高さが高すぎることを防ぐことができる。これにより、本発明のコンバインは、収穫量の低下を防ぎつつ、前処理部を所定の高さから刈取作業可能な高さに移動させるまでの時間を短縮して、作業効率を向上させることができる。
【００６９】
また、本実施形態において、作業者は、作物切換ダイヤル６２を操作することにより、容易に所定の高さを変更することができ、利便性を向上させると共に作業効率を向上させることができる。
【００７０】
また、本実施形態の汎用型コンバイン１は、刈り取る作物が稲、麦及びそばと、大豆と、なたねと、のいずれであるかに応じて所定の高さを設定することができ、所定の高さを作物に適した高さに設定することができる。
【００７１】
また、本実施形態において、作業者は、稲、麦及びそばに対応づけられた第１設定値Ｈ１と、大豆に対応づけられた第２設定値Ｈ２と、なたねに対応づけられた第３設定値Ｈ３と、をそれぞれ変更可能である。作物の高さは、作物に応じて異なるが、同じ作物においても品種に応じて異なる。本発明のコンバインは、第１設定値Ｈ１、第２設定値Ｈ２及び第３設定値Ｈ３を作物の品種に応じて変更可能であり、作物の高さに対して第１設定値Ｈ１、第２設定値Ｈ２及び第３設定値Ｈ３を適宜設定することができる。
【００７２】
また、本実施形態の汎用型コンバイン１は、作業クラッチが切断され、エンジンＥから前処理部５への動力伝達路が切断されている場合に、作物に拘らず所定の高さを第１設定値Ｈ１に保持するので、刈取作業と路上を走行する走行作業とに応じて所定の高さを変更することができる。これにより、汎用型コンバイン１は、オートリフト制御により上昇するする前処理部５の高さを、現在実行している作業状態に適した高さに設定することができる。
【００７３】
なお、本実施形態において、制御部１００は、作物切換ダイヤル６２により選択された作物に応じて、所定の高さを設定するように構成されているが、これに限らず、扱胴回転センサ１０２により検出された扱胴２７の回転速度に応じて、所定の高さを設定するように構成されていてもよい。また、制御部１００は、扱胴変速レバー４８Ａが高速と低速とのいずれに設定されているかに応じて、所定の高さを設定するように構成されていてもよい。さらに、制御部１００は、リール回転センサ１０３により検出された掻込リール２５の回転速度に応じて、所定の高さを設定するように構成されていてもよい。このように、前処理部５により刈り取る作物に応じて調整可能な作物別調整要素である扱胴２７や掻込リール２５の調整状態に応じて、所定の高さを設定する場合には、作業者が前処理部５により刈り取る作物に応じて扱胴２７や掻込リール２５を調整した際に、所定の高さも共に設定するので、作業者によって設定又は調整する項目を削減することができ、利便性を向上させると共に作業効率を向上させることができる。また、作業者は、所定の高さの変更忘れを防ぐことができる。
【００７４】
また、制御部１００は、作物別調整要素の調整状態として、扱胴２７及び掻込リール２５の回転に応じて、所定の高さを設定することに限らず、チャフシーブ３５のフィンの開度に応じて、所定の高さを設定するように構成されていてもよい。また、制御部１００は、刈り取る作物に応じて汎用型コンバイン１に取り付ける専用部品を検出可能に構成されており、作物別調整要素の調整状態として、その専用部品の取付状態に応じて、すなわち専用部品が取り付けられているか否かに応じて、所定の高さを設定するように構成されていてもよい。このように、制御部１００は、掻込リール２５以外にも、作物に応じて調整可能な作物別調整要素の調整状態に応じて、所定の高さを設定するように構成されていてもよい。さらに、制御部１００は、複数種類の作物別調整要素のうちいずれか１種類の作物別調整要素の調整状態に応じて、所定の高さを設定するように構成されていてもよく、複数の作物別調整要素の調整状態により、複合的に判断して所定の高さを設定するように構成されていてもよい。
【００７５】
また、本実施形態において、制御部１００は、作業クラッチ、特に刈取クラッチ４３の断接に応じて、所定の高さを変更するように構成されているが、これに限らず、作業クラッチである脱穀クラッチ４２の断接に応じて、所定の高さを変更するように構成されていてもよい。
【００７６】
また、本実施形態において、脱穀クラッチ４２は、エンジンＥと脱穀選別部６の装置との間における動力伝達経路に介在するように、かつエンジンＥと前処理部５の装置との間における動力伝達経路に介在するように配置されているが、これに限らず、エンジンＥと脱穀選別部６の装置との間における動力伝達経路にのみ介在するように配置されていてもよい。この場合にも、制御部１００は、脱穀クラッチ４２の断接に応じて、所定の高さを変更するように構成されていてもよい。
【００７７】
また、本実施形態において、制御部１００は、走行作業を実行している場合に、オートリフト制御により上昇するする前処理部５の高さを第１設定値Ｈ１に設定しているが、これに限らず、第１設定値Ｈ１〜第３設定値Ｈ３とは異なる高さに設定するように構成されていてもよい。
【００７８】
また、本実施形態において、汎用型コンバイン１は、作物切換ダイヤル６２により選択可能な作物として、稲、麦、そば、大豆及びなたねが設定されているが、これに限らず、ごま、はとむぎを設定可能に構成されていてもよい。
【００７９】
また、本実施形態において、制御部１００は、上昇操作部であるマルチステアリングレバー５１に設けられたマルチステアリングレバーポテンショメータ５１Ａとトリガースイッチ５１Ｂとが検出した信号に基づいてクイックアップ処理及びクイックセット処理を実行するように構成されているが、これに限らない。制御部１００は、上昇操作部として設けられたトリガースイッチ５１Ｂの信号のみからクイックアップ処理及びクイックセット処理を実行するように構成されていてもよい。また、汎用型コンバイン１は、マルチステアリングレバー５１とは別に、クイックアップ操作及びクイックセット操作が可能なスイッチ等の上昇操作部が設けられているように構成されていてもよい。
【００８０】
また、本実施の形態は、汎用型コンバインについて説明したが、自脱型コンバインにも適用可能である。
【符号の説明】
【００８１】
１      汎用型コンバイン
３      走行機体
５      刈取搬送部（前処理部）
２５    作物別調整要素（リール、掻込リール）
２７    作物別調整要素（扱胴）
４３    クラッチ（刈取クラッチ）
５１    上昇操作部（マルチステアリングレバー）
６２    作物設定手段（作物切換ダイヤル）
１００  制御部
１０７  昇降部（前処理部昇降アクチュエータ）
Ｅ      エンジン
【図１】
2018023302.tif 000003
【図２】
2018023302.tif 000004
【図３】
2018023302.tif 000005
【図４】
2018023302.tif 000006
【図５】
2018023302.tif 000007
【図６】
2018023302.tif 000008
【図７】
2018023302.tif 000009
【図８】
2018023302.tif 000010